(57)【要約】      （修正有）【課題】透明シートに強風等の強い外力が作用してもシートの定着が解消されず、雨水の侵入を防止でき、シートの破断も防止できるシートの定着装置を提供する。【解決手段】上端の開口部３を幅狭に形成した長尺な蟻溝フレーム１と、上記蟻溝フレーム１の開口端部に着脱自在に嵌合するシート押えキャップ２とからなり、蟻溝フレーム２内に透明シートＳ１を押し込みながら透明シートＳ１を蟻溝フレーム１とシート押えキャップ２とで挟持するシートの定着装置において、シート押えキャップ２を板フレーム４と、板フレーム４の一端に設けた上下一対の二股状の支持片５と、板フレーム４の他端近傍に下方に向け起立した垂直又は傾斜した押え片６ｂとで構成させた。【選択図】図１
2019062820.tif 000002
【特許請求の範囲】
【請求項１】
上端の開口部（３）を幅狭に形成した長尺な蟻溝フレーム（１）と、上記蟻溝フレーム（１）の開口端部に着脱自在に嵌合するシート押えキャップ（２）とからなり、上記蟻溝フレーム（２）内に透明シート（Ｓ１）を押し込みながら当該透明シート（Ｓ１）を上記蟻溝フレーム（１）と上記シート押えキャップ（２）とで挟持するシートの定着装置において、
上記シート押えキャップ（２）を板フレーム（４）と、上記板フレーム（４）の一端に設けた上下一対の二股状の支持片（５）と、上記板フレーム（４）の他端近傍に下方に向けて起立した垂直又は傾斜した押え片（６ｂ）とで構成させたことを特徴とするシートの定着装置。
【請求項２】
上記押え片（６ｂ）に対向して垂直なガイド片（６ａ）を起立し、当該二つの押え片（６ｂ）とガイド片（６ａ）とでソケット（６）を構成させ、更に、上記板フレーム（４）を貫通して上記ソケット（６）内に嵌入するソケット拡径部材を設けたことを特徴とする請求項１に記載のシートの定着装置。
【請求項３】
上記蟻溝フレーム（１）が水平な底部（１ａ）と、上記底部（１ａ）の両端かる斜め内側に起立する一対の側壁（１ｂ）、（１ｂ）と、上記各側壁（１ｂ）、（１ｂ）の上端に形成した湾曲部（１ｃ）、（１ｃ）とで構成されている請求項１又は２に記載のシートの定着装置。
【請求項４】
上記蟻溝フレーム（１）の下端に断面Ｌ字状の樋フレーム（９）と、この樋フレーム（９）に対向する開口部が幅狭の他の蟻溝フレーム（８）とが設けられている請求項１、２又は３に記載のシートの定着装置。
【請求項５】
上記二股状の支持片（５）が上記一方の側壁（１ｂ）の上端に嵌合する上側支持片（５ａ）と下側支持片（５ｂ）とで構成され、上記ガイド片（６ａ）が螺子溝（６ｄ）を内周に形成した第一の内側垂直片からなり、上記押え片（６ｂ）がこの第一の垂直片（６ａ）に対向すると共に第一の垂直片（６ａ）より短く且つ外面に突起（６ｃ）を形成した第二の外側垂直片（６ｂ）からなる請求項２、３又は４に記載のシートの定着装置。
【請求項６】
上記ソケット拡径部材がビス（７）からなる請求項２、３、４又は５に記載のシートの定着装置。
【発明の詳細な説明】
【技術分野】
【０００１】
本発明は、温室たるビニールハウスにおけるシートの定着装置に関し、特にハウスの骨組みに固定した開口部が幅狭の蟻溝フレームに透明な硬質シートを固定してハウスの屋根面、側面又は妻面に展張するのに適するシートの定着装置に関する。
【背景技術】
【０００２】
一般に、植物の栽培用温室では実公昭８−３７７１５号公報に開示されているシートの定着装置の開発以来これを基本構造として発展させた各種のシートの定着装置が開発されている。
この種のシートの定着装置は、開口部が幅狭の蟻溝フレームと、この蟻溝フレーム内に嵌合する弾性な係止線条たるスプリングとからなるもので、合成樹脂製の透明シートを蟻溝フレーム内に挿入後この透明シートを蟻溝フレームの内周と係止線条の外周とで挟持するものである。
他方、植物の栽培に利用するビニールハウスでは、透過性に優れ、耐久性のある硬質な透明シートを利用してこれをハウスの屋根面、側面、又は妻面に展張するのが好ましい。
しかしながら、上記のシートの定着装置では、機能上の欠陥があるわけでは無いが、硬質の合成樹脂シートは剛性が強く、またスプリングの挟持力が弱いため、このスプリンが透明シートの剛性に耐え切れずこの透明シートを蟻溝フレーム内に安定した状態で均一に保持できない場合や透明シートが歪んでしまう場合がある。
しかも、上記のスプリングは手動で透明シートを押え込みながら蟻溝フレーム内に透明シートの剛性に抗して強制的に嵌合させるので操作性が悪く、手を痛める場合もある。
そこで、この不具合を解消するため、例えば、特許文献１、特許文献２に開示されているようなシートの定着装置が開発されている。
特許文献１に示すシートの定着装置は、開口部が幅狭の蟻溝フレームと、この蟻溝フレームの上端に嵌合する湾曲した弾性なシート止め板材とからなるもので、シート止め板材が蟻溝フレーム状に置かれた硬質の透明シートを押し込みながら蟻溝フレームの外周との間で強制的に挟持するものである。
これにより透明シート全体がハウスの屋根面、側面又は妻面に展張される。しかもシート押え板材を蟻溝フレームの開口部上方に外側から押し込んで嵌合させるだけであるから透明シートを均一に蟻溝フレームとの間で挟持でき、しかもスプリングによるシートの定着操作に比べて透明シートの剛性にあまり影響を受けないので操作性が良く、操作時に手を痛めることも無い。
特許文献２に示すシートの定着装置は、開口部が幅狭の蟻溝フレームと、この蟻溝フレームの上端に嵌合する断面コ字状のシート押えフレームと、シート押えフレームと蟻溝フレームとを貫通するビスとからなるもので、シート押えフレームが蟻溝フレーム状に展張した硬質の透明シートを押え込み、次いでビスをシート押え板と透明シートを貫通して蟻溝フレームの底部の螺合させるものである。これにより、透明シートが特許文献１のシートの定着装置と同じようにハウスの屋根面等に均一に展張される。
しかも、ビスは透明シートの剛性に関係なく装着でき、手動でシートの押えこみ操作をしないので手を痛める不具合も発生しない。
【先行技術文献】
【特許文献】
【０００３】
【特許文献１】特開２００５−３４８６９１号公報（図面、要約参照）
【特許文献２】意匠登録第１３０７５７６号公報（図面、意匠に係る物品の説明参照）
【発明の概要】
【発明が解決しようとする課題】
【０００４】
しかしながら、上記特許文献１、２に開示されたシートの定着装置は、使用できなくなるほどの欠陥があるわけではないが次のような不具合の改善が望まれている。
すなわち、特許文献１のシートの定着装置では、シート止め板材が弾性な板から構成されている為、透明シートに強風等の強い外力が作用すると、この外力でシートがシート止め板材を押し上げる方向に押し上げ、シート止め板材が外れ、シートの定着が解消されてバタバタし、結果的にシートの展張が不能になってしまう恐れがある。
また、特許文献２のシートの定着装置では、ビスでシート押えフレームが蟻溝フレームに固定されているので、シートに外力が作用してシート押えフレームが外れることは無い利点がある反面、ビスがシート押えフレームと透明シートと蟻溝フレームの底部に貫通しているのでこれらの部材にはビスを貫通させた時孔が形成され、この孔から雨水が侵入し、土壌にこの雨水が落下して植物の根腐れを発生させる恐れがある。
また、シートに外力が作用した時このシートが孔の部分から破断してくる恐れもあり、これらの改善が望まれている。
そこで、本発明の目的は、透明シートに強風等の強い外力が作用してもシートの定着が解消されず、雨水の侵入を防止でき、シートの破断も防止できるシートの定着装置を提供することである。
【課題を解決するための手段】
【０００５】
上端の開口部を幅狭に形成した長尺な蟻溝フレームと、上記蟻溝フレームの開口端部に着脱自在に嵌合するシート押えキャップ２とからなり、上記蟻溝フレーム内に透明シートを押し込みながら当該透明シートを上記蟻溝フレームと上記シート押えキャップとで挟持するシートの定着装置において、
上記シート押えキャップを板フレームと、上記板フレームの一端に設けた上下一対の二股状の支持片と、上記板フレームの他端近傍に下方に向け起立した垂直又は傾斜した押え片とで構成させたことを特徴とするものである。
【発明の効果】
【０００６】
本発明によれば、シート押えキャップが板フレームと、板フレームの端部に設けた二股状の支持片と、上記板フレームの他端近傍に下方に向け起立した垂直又は傾斜した押え片とで構成させたので、これらの部材の作用で蟻溝フレームと協働して透明シートにテンションを付与しながら当該シートを定着でき、併せて、シートに強風等に強い外力が作用してもシート押えキャップが蟻溝フレームから外れるのが防止できる。
又シートの定着操作時に手を痛めず、操作性を向上させ、シートを破断させるのも防止しできる。
【図面の簡単な説明】
【０００７】
【図１】本発明の一実施の形態に係るシートの定着装置の縦断正面図である。
【図２】本発明の他の実施の形態に係るシートの定着装置縦断正面図である。
【図３】（Ａ）は図２の他の実施の形態に係るシートの定着装置を利用して硬質の透明シートと軟質の透明シートと展張した連棟式ビニールハウスの一部切欠き正面図であり、  （Ｂ）は一部拡大正面図である。
【図４】（Ａ）はシート押えキャップにおける板フレームの正面図であり、  （Ｂ）は一部切欠き斜視図である。
【図５】（Ａ）〜（Ｄ）は本発明の他の実施の形態におけるシートの定着装置で硬質の透明シートを定着させる工程を示す拡大正面図である。
【発明を実施するための形態】
【０００８】
以下に本発明の一実施の形態と他の実施の形態に係るシートの定着装置を図１〜図５を参照しながら説明する。
【０００９】
各実施の形態に係る発明は、温室たるビニールハウスにおけるシートの定着装に関し、特にハウスのアーチパイプからなる骨組に固定した開口部が幅狭の蟻溝フレームに透明な硬質シートを固定してハウスの屋根面、側面又は妻面に展張するのに適するシートの定着装置に関するものである。
【００１０】
このシートの定着装置としては、図１に示す一実施の形態に示すものと、図２に示す他の実施の形態に係るものとがある。
【００１１】
図１に示すシートの定着装置Ｐ１は、長尺な蟻溝フレーム１と、この蟻溝フレーム１の開口端部に着脱自在に嵌合するシート押えキャップ２との組み合わせからなるものである。
【００１２】
図２に示す他の実施の形態に係るシートの定着装置Ｐ２は、図１に示すシートの定着装置Ｐ１を基本とし、更に、蟻溝フレーム１の下端に断面Ｌ字状の樋フレーム９と、この樋フレーム９に対向する開口部が幅狭の他の蟻溝フレーム８とが設けられているものである。
本発明のシートの定着装置Ｐ１、Ｐ２が適用されているビニールハウスＹは、例えば、図３（Ａ）に示すトンネル型の連棟ハウスであるが、図示のものに限らず、単棟型ハウス、その他透明な透光性シートを展張しているハウスであっても良い。
また、ビニールハウスＹにおけるシートの定着装置Ｐ１、Ｐ２の適用場所は屋根面、側面、又は妻面の全域又は一部であっても良い。
図３（Ａ）に示すビニールハウスＹに適用したシートの定着装置Ｐ２は図２に示す他の実施の形態に係るものを利用している。
このシートの定着装置Ｐ２は硬質な透明シートＳ１と軟質な換気用の透明シートＳ２を定着するものである。
ただし、単に透明シートＳ１のみを定着してビニールハウスの屋根面等に展張させる場合は図1の実施の形態に係るシートの定着装置Ｐ１が利用される。
図３（Ａ）のビニールハウスＹは地上に多数のアーチパイプＴからなる骨組みを前後方向に沿って起立させ、これらのアーチパイプＴとクロスする方向にジョイント等を介してシートの定着装置Ｐ２を固定したものである。
このビニールハウスＹとして連棟式のハウスが使用されているが、単一のトンネルハウスからなる単棟式のハウスであっても良い。
図３（Ａ）の連棟式ハウスは谷部に樋Ｖが設けられており、後述するように図２におけるシートの定着装置Ｐ２に設けた樋フレーム９から結露回収具（図示せず）を介して回収した結露水を樋Ｖ等を利用してからハウス内又はハウス外に排水できるようにしている。
硬質な透明シートＳ１は、例えば、ハウスの屋根面に展張されて太陽光線をハウス内に透過させるものであり、軟質な透明シートＳ２は屋根面に形成した開口部を開閉して換気用に利用されるものである。
次にシートの定着装置の実施の形態を詳述する。
上記したように、図１は本発明の一実施の形態に係るシートの定着装置Ｐ１を示している。
これは、上端の開口部３を幅狭に形成した長尺な蟻溝フレーム１と、蟻溝フレーム１の開口端部に着脱自在に嵌合するシート押えキャップ２とからなるもので、蟻溝フレーム２内に透光性と耐久性に優れた合成樹脂製の硬質な透明シートＳ１を押し込みながら当該透明シートＳ１を蟻溝フレーム１とシート押えキャップ２とで挟持するものである。
このシートの定着装置Ｐ１は硬質のシートの定着に適しているが、軟質な透明シートの定着にも適用できる。
シート押えキャップ２は図１、図４（Ａ）、（Ｂ）に示すように、蟻溝フレーム１の上端開口部３に沿う長尺な板フレーム４と、板フレーム４の右側一端に設けた上下一対の二股状の支持片５と、板フレーム４の左側他端近傍に下方に向け起立した垂直又は傾斜した押え片６ｂとで構成されている。
【００１３】
上記のように、単一の押え片６ｂがあれば、本発明の目的は達成されるが、図示のように、上記押え片６ｂに対向して垂直なガイド片６ａを起立し二つの押え片６ｂとガイド片６ａとでソケット６を構成させ、更に、板フレーム４を貫通してソケット６内に嵌入するソケット拡径部材を設けても良い。
【００１４】
板フレーム４の上面にはソケット６に対向する溝４ａ又は孔が長手方向に沿って形成されている。
【００１５】
蟻溝フレーム１は公知のように、水平な底部１ａと、底部１ａの両端かる斜め内側に起立する一対の左右の側壁１ｂ、１ｂと、各側壁１ｂ、１ｂの上端に形成した湾曲部１ｃ、１ｃ又はカール部とで構成されている。
【００１６】
二股状の支持片５は一方の側壁１ｂの上端に嵌合する上側支持片５ａと下側支持片５ｂとで構成されている。
上記のように、ソケット６は螺子溝６ｄを内周に形成した第一の内側垂直片からなるガイド片６ａと、このガイド片６ａに対向すると共にガイド片６ａより短く且つ外面に突起６ｃを形成した押え片６ｂたる第二の外側垂直片とで構成されている。
ソケット拡径部材は図示のようにフランジ７ａとこのフランジ７ａから延びるネジ棒からなるビス７から構成され、このビス７のネジ棒を強制的にガイド片６ａと押え片６ｂ間にねじ込んだとき各少なく一方の押え片６ｂを横方向に広げるようになっている。
ただし、このソケット拡径部材はガイド片６ａと押え片６ｂ間に強制的に差し込んだ時これらのガイド片６ａと押え片６ｂを横方向に押し込んで両者の間を拡げ、特に押え片６ｂを蟻溝フレーム１の他方の左側側壁１ｂ側に押し込むようにできるものであれば他の部材でも使用可能である。
【００１７】
次に、シートの定着操作について説明する。
【００１８】
ハウスの屋根面等に展張した硬質の透明シートＳ１を蟻溝フレーム１上に載置させ、この状態で板フレーム４の右側支持片５をシートＳ１を押え込みながら蟻溝フレーム１の右側側壁１ｂの上端湾曲部１ｃに嵌合させる。
【００１９】
次に、右側支持片５の内周を支点にして板フレーム２を図において反時計方向に回転し、ソケット６をシートＳ１を下方に押し込みながら蟻溝フレーム１の開口部３内に嵌合させ、併せて板フレーム２の左端部５ｃを蟻溝フレーム１の左側側壁１ｂの上端湾曲部１ｃに当接させる。
【００２０】
次に、溝４ａからソケット６内にビス７を螺合させて圧入させ、このビス７の太さに対応してソケット６を拡げ、左側の押え片６ｂをシートＳ１にテンションを付与させながら蟻溝フレーム１の左側側壁１ｂの内周に圧接させる。
【００２１】
更にシートＳ１は板フレーム４の左端部５ｃの下面と左側側壁１ｂの上端湾曲部１ｃとで挟持されながら屋根面上に導出される。
【００２２】
この操作により、シートＳ１は蟻溝フレーム１とシート押えキャップ２とで強制的にテンションを付与されなら挟持され、屋根面上に均一に展張される。
【００２３】
次に、図２に示す他の実施の形態に係るシートの定着装置Ｐ２について説明する。
【００２４】
このシートの定着装置Ｐ２は、図１に示すシートの定着装置Ｐ１と同じく、上端の開口部３を幅狭に形成した長尺な蟻溝フレーム１と、蟻溝フレーム１の開口端部に着脱自在に嵌合するシート押えキャップ２とからなり、蟻溝フレーム２内に透明シートＳ１を押し込みながら当該透明シートＳ１を蟻溝フレーム１とシート押えキャップ２とで挟持するものである。
【００２５】
蟻溝フレーム１は公知のように水平な底部１ａと、底部１ａの両端かる斜め内側に起立する一対の側壁１ｂ、１ｂと、各側壁１ｂ、１ｂの上端に形成した湾曲部１ｃ、１ｃとで構成されている。
【００２６】
シート押えキャップ２は板フレーム４と、板フレーム４の右側一端に設けた上下一対の二股状の支持片５と、板フレーム４の他端近傍に下方に向け起立したソケット６と、板フレーム４を貫通してソケット６内に嵌入するソケット拡径部材たるビス７とで構成されている。
【００２７】
ソケット６は、上記と同じく螺子溝６ｄを内周に形成した第一の内側垂直片からなるガイド片６ａと、このガイド片６ａに対向すると共にガイド片６ａより短かく且つ外面に突起６ｃを形成した第二の外側垂直片からなる押え片６ｂとで構成している。
【００２８】
押え片６ｂはガイド片６ａと同じ長さであっても良く、これらは垂直に下方に向けて起立しても良く、蟻溝フレーム１の左側側壁１ｂ側に向けて傾斜させても良い。
【００２９】
上記の構成は図１の実施の形態の場合と同じであるが、この他の実施の形態では更に、蟻溝フレーム１の下端に断面Ｌ字状の樋フレーム９と、この樋フレーム９に対向する開口部が幅狭の他の蟻溝フレーム８とが設けられている。
【００３０】
図３ですでに説明したように、樋フレーム９は透明シートＳ１の内周に結露した結露水を回収し、結露回収具（図示せず）に導くものである。
【００３１】
また、他の蟻溝フレーム８内には図３（Ｂ）に示すように換気用の軟質な透明シートＳ２が係止線条Ｗを介して定着されるようになっている。
【００３２】
シートの定着操作は図１の実施の形態で説明した場合と同じである。
【００３３】
即ち、図５（Ａ）に示すように、ハウスの屋根面等に展張した硬質の透明シートＳ１を蟻溝フレーム１上に載置させる（第一の工程）。
【００３４】
この場合、透明シートＳ１は蟻溝フレーム１の側壁１ｂ、１ｂの上端湾曲部１ｃに予め取付けておいた両面粘着テープＸに貼付しておいて仮止めしておいて動かないようにしておくのが好ましい。
【００３５】
この状態で図５（Ｂ）に示すように、板フレーム４の右側支持片５をシートＳ１を押え込みながら蟻溝フレーム１の右側側壁１ｂの上端湾曲部１ｃに嵌合させる（第二の工程）。
【００３６】
次に、図５（Ｃ）に示すように、右側支持片５の内周を支点にして板フレーム２を反時計方向に回転させ、ソケット６をシートＳ１を下方に押し込んでテンションを掛けながら蟻溝フレーム１の開口部３内に嵌合させ、併せて板フレーム２の左端部５ｃを蟻溝フレーム１の左側側壁１ｂの上端湾曲部１ｃに当接させる（第三の工程）。
【００３７】
次いで、図５（Ｄ）に示すように、板フレーム４の上面に形成した溝４ａ又は孔からソケット６内にビス７を螺合させて圧入させる。
【００３８】
この時、ビス７の太さに対応してソケット６が拡がり、一方の左側押え片６ｂの外周、特に突起６ｃがシートＳ１にテンションを付与しながら蟻溝フレーム１の左側側壁１ｂの内周に圧接させる（第四の工程）。
【００３９】
更にシートＳ１は板フレーム４の左端部５ｃの下面と左側側壁１ｂの上端湾曲部１ｃとで挟持されながら屋根面上に導出される（第五の工程）。
【００４０】
上記の操作により、シートＳ１は蟻溝フレーム１とシート押えキャップ２とで強制的にテンションを付与されなら挟持され、屋根面上に均一に展張される。
【００４１】
図１、図２の実施の形態によるシートの定着装置Ｐ１、Ｐ２でよれば、次の作用効果が達成される。
【００４２】
Ａ）シート押えキャップ２が板フレーム４の一端に上下一対の上側の支持片５ａと下側の支持片５ｂとからなる二股状の支持片５を設けているので、これらの上下支持片５ａ、５ｂが蟻溝フレーム１の一方の側壁１ｂ上部を挟み込みなら嵌合でき、その結果、上側の支持片５ａが透明シートＳ１に当接してこのシートＳ１を押え込みながらテンションを付与し、下側の支持片５ｂが側壁１ｂに対向しながらこの側壁１ｂと協働してシートＳ１を挟持できる。
したがって、シートＳ１に外力が作用して浮き上がろうとした時このシートＳ１は上側の支持片５ａで押え込まれているので浮き上がりが防止できる。
特に、強風等の強い外力でシートＳ１が上側の支持片５ａを押し上げた時でも下側の支持片５ｂが蟻溝フレーム１の右側の側壁１ｂ内面に圧接するため右側の二股状の支持片５が蟻溝フレーム１のこの側壁１ｂから外れない。
Ｂ）同じくシート押えキャップ２が板フレーム４の他端近傍に下方に向けて起立した押え片６ｂを設けているので、透明シートＳ１に強風等の外力が作用し、この透明シートＳ１が板フレーム４の左側端部を外方たる上方に押し上げようとして、梃の原理で押え片６ｂと突起６ｃとが蟻溝フレーム１の左側の側壁１ｂ内周に圧接するので板フレーム４の左側が浮き上がるのが防止され、板フレーム４が左側の側壁１ｂから外れない。
Ｃ）同様に、板フレーム４の他端側に一対の内側ガイド片６ａと外側押え片６ｂとからなるソケット６と、板フレーム４を貫通してソケット６内に嵌入するビス７等のソケット拡径部材を設けている場合においても、ソケット６内に拡径部材を嵌入した時ソケット６が拡径し、外側押え片６ｂと突起６ｃとが蟻溝フレーム１の他方の左側側壁１ｂ側に押圧され、この側壁１ｂと協働して透明シートＳ１を挟持する。
【００４３】
したがって、上記の二股状の支持片５と、ソケット６と、ソケット拡径部材との作用で透明シートＳ１にテンションを付与しながら当該透明シートＳ１を定着でき、併せて、透明シートＳ１に強風等の強い外力が作用してもシート押えキャップ２が蟻溝フレーム１から外れるのが防止できる。
Ｄ）更に、シートの定着操作時に手を痛めず、操作性を向上させ、シートを破断させるのも防止できる。
【符号の説明】
【００４４】
１  蟻溝フレーム
１ａ  底部
１ｂ  側壁
１ｃ  彎曲部
２  シート押えキャップ
３  開口部
４  板フレーム
５  支持片
５ａ  上側支持片
５ｂ  下側支持片
６  ソケット
６ａ  ガイド片
６ｂ  押え片
６ｃ  突起
７  ビス
８  他の蟻溝フレーム
９  樋フレーム
Ｓ１  硬質な透明シート
Ｓ２  軟質な透明シート
Ｐ１  シートの定着装置
Ｐ２  シートの定着装置
【図１】
2019062820.tif 000003
【図２】
2019062820.tif 000004
【図３】
2019062820.tif 000005
【図４】
2019062820.tif 000006
【図５】
2019062820.tif 000007